(57)【要約】【課題】  多色原稿を複数の色インクで重ね刷りする際に最適な配色を選択すること。【解決手段】  多色原稿画像を重ね刷りする際の配色を提供する画像処理装置であって、前記多色原稿画像を重ね刷りする際に使用可能なｍ種類の色用紙の情報とｎ種類の色インクの情報とを色用紙／色インクリストに登録する色用紙／色インク登録手段と、前記ｍ種類の色用紙の中から任意に選択されたｋ種類の色用紙と前記ｎ種類の色インクの中から任意に選択されたｌ種類の色インクとの全ての組み合わせの各々を色組み合わせ要素としてリストアップする色組み合わせ手段と、前記リストアップした色組み合わせ要素毎に、多色原稿画像データに着色した着色画像を生成する着色画像生成手段と、前記着色画像のうちユーザにより選択された着色画像の配色を、前記多色原稿画像を実際に重ね刷りする際の配色として選択する配色選択手段とを備える。【選択図】図１
2006079597.tif 000002
【特許請求の範囲】
【請求項１】
多色原稿画像を重ね刷りする際の配色を提供する画像処理装置であって、
ｍ，ｎを自然数としたとき、前記多色原稿画像を重ね刷りする際に使用可能なｍ種類の色用紙の情報とｎ種類の色インクの情報とを色用紙／色インクリストに登録する色用紙／色インク登録手段と、
ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせの各々を色組み合わせ要素としてリストアップする色組み合わせ手段と、
前記リストアップした色組み合わせ要素毎に、多色原稿画像データに着色した着色画像を生成する着色画像生成手段と、
前記着色画像のうちユーザにより選択された着色画像の配色を、前記多色原稿画像を実際に重ね刷りする際の配色として選択する配色選択手段と
を備えることを特徴とする画像処理装置。
【請求項２】
前記着色画像生成手段は、前記多色原稿画像データを形成するオブジェクト毎の印刷色として予め記憶された、前記ｍ種類の色用紙及び前記ｎ種類の色インクの重ね刷り色情報に基づき、前記着色画像を生成することを特徴とする請求項１記載の画像処理装置。
【請求項３】
多色原稿画像を重ね刷りする際の配色を提供する画像処理装置であって、
ｍ，ｎを自然数としたとき、前記多色原稿画像を重ね刷りする際に使用可能なｍ種類の色用紙の情報とｎ種類の色インクの情報とを色用紙／色インクリストに登録する色用紙／色インク登録手段と、
ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせを色組み合わせ要素としてリストアップする色組み合わせ手段と、
前記リストアップした色組み合わせ要素毎に、所定の色空間における色再現範囲を算出する色再現範囲算出手段と、
前記多色原稿画像から前記所定の色空間上の色分布を算出する色分布算出手段と、
前記算出した色再現範囲と色分布とから、前記多色原稿画像を重ね刷りする際の配色を自動的に選択する配色選択手段と
を備えることを特徴とする画像処理装置。
【請求項４】
前記色再現範囲算出手段は、前記多色原稿画像を形成するオブジェクト毎の印刷色として予め記憶された、前記ｍ種類の色用紙及び前記ｎ種類の色インクの重ね刷り色情報に基づき、前記色再現範囲を算出することを特徴とする請求項３記載の画像処理装置。
【請求項５】
前記配色選択手段は、前記色再現範囲に含まれる前記色分布の度数を最大とする色インク及び色用紙を有する色組み合わせ要素による配色を選択することを特徴とする請求項３記載の画像処理装置。
【請求項６】
前記色再現範囲に含まれる前記色分布の度数は、前記所定の色空間における、前記色再現範囲の面積に対する前記色分布の面積の割合を含むことを特徴とする請求項５記載の画像処理装置。
【請求項７】
前記自然数ｋ及びｌは、ユーザによって選択されることを特徴とする請求項１ないし請求項６のいずれかに記載の画像処理装置。
【請求項８】
前記色用紙／色インク登録手段は、前記ｍ種類の色用紙の情報と前記ｎ種類の色インクの情報とを重ね刷りを行う印刷装置から自動的に取得することを特徴とする請求項１ないし請求項６のいずれかに記載の画像処理装置。
【請求項９】
多色原稿画像を重ね刷りする際の配色を提供する画像処理方法であって、
ｍ，ｎを自然数としたとき、前記多色原稿画像を重ね刷りする際に使用可能なｍ種類の色用紙の情報とｎ種類の色インクの情報とを色用紙／色インクリストに登録する段階と、
ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせの各々を色組み合わせ要素としてリストアップする段階と、
前記リストアップした色組み合わせ要素毎に、多色原稿画像データに着色した着色画像を生成する段階と、
前記着色画像のうちユーザにより選択された着色画像の配色を、前記多色原稿画像を実際に重ね刷りする際の配色として選択する段階と
を備えることを特徴とする画像処理方法。
【請求項１０】
多色原稿画像を重ね刷りする際の配色を提供する画像処理方法であって、
ｍ，ｎを自然数としたとき、前記多色原稿画像を重ね刷りする際に使用可能なｍ種類の色用紙の情報とｎ種類の色インクの情報とを色用紙／色インクリストに登録する段階と、
ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせを色組み合わせ要素としてリストアップする段階と、
前記リストアップした色組み合わせ要素毎に、所定の色空間における色再現範囲を算出する段階と、
前記多色原稿画像から前記所定の色空間上の色分布を算出する段階と、
前記算出した色再現範囲と色分布とから、前記多色原稿画像を重ね刷りする際の配色を自動的に選択する段階と
を備えることを特徴とする画像処理方法。
【請求項１１】
多色原稿画像を重ね刷りする際の配色をコンピュータにより提供する画像処理プログラムであって、
ｍ，ｎを自然数としたとき、前記多色原稿画像を重ね刷りする際に使用可能なｍ種類の色用紙の情報とｎ種類の色インクの情報とを色用紙／色インクリストに登録するステップと、
ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせの各々を色組み合わせ要素としてリストアップするステップと、
前記リストアップした色組み合わせ要素毎に、多色原稿画像データに着色した着色画像を生成するステップと、
前記着色画像のうちユーザにより選択された着色画像の配色を、前記多色原稿画像を実際に重ね刷りする際の配色として選択するステップと
を前記コンピュータに実行させることを特徴とする画像処理プログラム。
【請求項１２】
前記着色画像を生成するステップにおいて、前記多色原稿画像データを形成するオブジェクト毎の印刷色として予め記憶された、前記ｍ種類の色用紙及び前記ｎ種類の色インクの重ね刷り色情報に基づき、前記着色画像を生成することを特徴とする請求項１１記載の画像処理プログラム。
【請求項１３】
多色原稿画像を重ね刷りする際の配色をコンピュータにより提供する画像処理プログラムであって、
ｍ，ｎを自然数としたとき、前記多色原稿画像を重ね刷りする際に使用可能なｍ種類の色用紙の情報とｎ種類の色インクの情報とを色用紙／色インクリストに登録するステップと、
ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせの各々を色組み合わせ要素としてリストアップするステップと、
前記リストアップした色組み合わせ要素毎に、所定の色空間における色再現範囲を算出するステップと、
前記多色原稿画像から前記所定の色空間上の色分布を算出するステップと、
前記算出した色再現範囲と色分布とから、前記多色原稿画像を重ね刷りする際の配色を自動的に選択するステップと
を前記コンピュータに実行させることを特徴とする画像処理プログラム。
【請求項１４】
前記色再現範囲を算出するステップにおいて、前記多色原稿画像を形成するオブジェクト毎の印刷色として予め記憶された、前記ｍ種類の色用紙及び前記ｎ種類の色インクの重ね刷り色情報に基づき、前記色再現範囲を算出することを特徴とする請求項１３記載の画像処理プログラム。
【発明の詳細な説明】
【技術分野】
【０００１】
多色原稿画像を複数の色インクで重ね刷りする際に配色を提供する画像処理装置、画像処理方法及び画像処理プログラムに関する。
【背景技術】
【０００２】
特許文献１に記載の孔版印刷装置は、色インクや色用紙を適宜組み合わせることで様々な多色印刷物を出力することができる。
【０００３】
その際、ユーザは写真・イラスト・テキスト・図形等のオブジェクトを用いて多色原稿画像を作成し、オブジェクト毎に色の指定（配色）を行う。
【特許文献１】特開２００２−１４４６９０号公報
【発明の開示】
【発明が解決しようとする課題】
【０００４】
しかしながら、色インクや色用紙をどのように組み合わせれば、実際の多色原稿画像の色に近い色の多色印刷物が得られるかを推測することは、ユーザにとって面倒な作業となっていた。特に、オブジェクトにフルカラーの写真やイラスト等が含まれているような場合に、使用する色インクや色用紙を選択し、それらの組み合わせを決定することは、非常に難しい作業であった。
【０００５】
また、ひとたび多色原稿画像を作成した後に別の配色を確認したい場合には、各オブジェクトに対して再度色指定を行う必要があり、ユーザにとって大変な負担となっていた。
【０００６】
本発明は、上記課題を鑑みて為されたものであり、多色原稿画像を複数の色インクで重ね刷り印刷する際にユーザにとって最適な配色を選択できる画像処理装置、画像処理方法及び画像処理プログラムを提供することを目的とする。
【課題を解決するための手段】
【０００７】
本発明に係る画像処理装置の特徴は、多色原稿画像を重ね刷りする際の配色を提供する画像処理装置であって、ｍ，ｎを自然数としたとき、前記多色原稿画像を重ね刷りする際に使用可能なｍ種類の色用紙の情報とｎ種類の色インクの情報とを色用紙／色インクリストに登録する色用紙／色インク登録手段と、ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせの各々を色組み合わせ要素としてリストアップする色組み合わせ手段と、前記リストアップした色組み合わせ要素毎に、多色原稿画像データに着色した着色画像を生成する着色画像生成手段と、前記着色画像のうちユーザにより選択された着色画像の配色を、前記多色原稿画像を実際に重ね刷りする際の配色として選択する配色選択手段とを備えることにある。
【０００８】
また、本発明に係る画像処理方法の特徴は、多色原稿画像を重ね刷りする際の配色を提供する画像処理方法であって、ｍ，ｎを自然数としたとき、前記多色原稿画像を重ね刷りする際に使用可能なｍ種類の色用紙の情報とｎ種類の色インクの情報とを色用紙／色インクリストに登録する段階と、ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせの各々を色組み合わせ要素としてリストアップする段階と、前記リストアップした色組み合わせ要素毎に、多色原稿画像データに着色した着色画像を生成する段階と、前記着色画像のうちユーザにより選択された着色画像の配色を、前記多色原稿画像を実際に重ね刷りする際の配色として選択する段階とを備えることにある。
【０００９】
また、本発明に係る画像処理プログラムの特徴は、多色原稿画像を重ね刷りする際の配色をコンピュータにより提供する画像処理プログラムであって、ｍ，ｎを自然数としたとき、前記多色原稿画像を重ね刷りする際に使用可能なｍ種類の色用紙の情報とｎ種類の色インクの情報とを色用紙／色インクリストに登録するステップと、ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせの各々を色組み合わせ要素としてリストアップするステップと、前記リストアップした色組み合わせ要素毎に、多色原稿画像データに着色した着色画像を生成するステップと、前記着色画像のうちユーザにより選択された着色画像の配色を、前記多色原稿画像を実際に重ね刷りする際の配色として選択するステップとを前記コンピュータに実行させることにある。
【００１０】
このような構成によれば、ユーザが重ね刷りに用いることを想定した色用紙及び色インクの組み合わせ毎に着色された画像が生成され提示されるため、ユーザはその中から所望の着色画像を選択するだけで、作成しようとする印刷物の出来上がりイメージに合致する発色が実現可能な、色用紙及び色インクの組み合わせによる配色を容易に選択することができる。
【００１１】
また、本発明に係る画像処理装置の別の特徴は、多色原稿画像を重ね刷りする際の配色を提供する画像処理装置であって、ｍ，ｎを自然数としたとき、前記多色原稿画像を重ね刷りする際に使用可能なｍ種類の色用紙の情報とｎ種類の色インクの情報とを色用紙／色インクリストに登録する色用紙／色インク登録手段と、ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせを色組み合わせ要素としてリストアップする色組み合わせ手段と、前記リストアップした色組み合わせ要素毎に、所定の色空間における色再現範囲を算出する色再現範囲算出手段と、前記多色原稿画像から前記所定の色空間上の色分布を算出する色分布算出手段と、前記算出した色再現範囲と色分布とから、前記多色原稿画像を重ね刷りする際の配色を自動的に選択する配色選択手段とを備えることにある。
【００１２】
また、本発明に係る画像処理方法の別の特徴は、多色原稿画像を重ね刷りする際の配色を提供する画像処理方法であって、ｍ，ｎを自然数としたとき、前記多色原稿画像を重ね刷りする際に使用可能なｍ種類の色用紙の情報とｎ種類の色インクの情報とを色用紙／色インクリストに登録する段階と、ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせを色組み合わせ要素としてリストアップする段階と、前記リストアップした色組み合わせ要素毎に、所定の色空間における色再現範囲を算出する段階と、前記多色原稿画像から前記所定の色空間上の色分布を算出する段階と、前記算出した色再現範囲と色分布とから、前記多色原稿画像を重ね刷りする際の配色を自動的に選択する段階とを備えることにある。
【００１３】
また、本発明に係る画像処理プログラムの別の特徴は、多色原稿画像を重ね刷りする際の配色をコンピュータにより提供する画像処理プログラムであって、ｍ，ｎを自然数としたとき、前記多色原稿画像を重ね刷りする際に使用可能なｍ種類の色用紙の情報とｎ種類の色インクの情報とを色用紙／色インクリストに登録するステップと、ｋ，ｌをそれぞれ、ｋ≦ｍ，ｌ≦ｎを満たす自然数としたとき、前記ｍ種類の色用紙の中から任意に選択されたｋ種類の色用紙と前記ｎ種類の色インクの中から任意に選択されたｌ種類の色インクとの全ての組み合わせの各々を色組み合わせ要素としてリストアップするステップと、前記リストアップした色組み合わせ要素毎に、所定の色空間における色再現範囲を算出するステップと、前記多色原稿画像から前記所定の色空間上の色分布を算出するステップと、前記算出した色再現範囲と色分布とから、前記多色原稿画像を重ね刷りする際の配色を自動的に選択するステップとを前記コンピュータに実行させることにある。
【００１４】
このような構成によれば、作成した多色原稿画像の色再現に最も近い発色が実現可能な、色用紙及び色インクの組み合わせによる配色を自動的に選択することができる。
【発明の効果】
【００１５】
本発明によれば、多色原稿画像を複数の色インクで重ね刷りする際にユーザにとって最適な配色を選択できる画像処理装置、画像処理方法及び画像処理プログラムを提供することができる。
【発明を実施するための最良の形態】
【００１６】
以下、図１から図１４を参照して、本発明の実施の形態について詳しく説明する。なお、各図面を通じて同一もしくは同等の部位や構成要素には、同一もしくは同等の参照符号を付し、その説明を省略もしくは簡略化する。
【００１７】
［第１の実施形態］
図１は、第１の実施形態における画像処理装置１００ａを例示している。画像処理装置１００ａは、多色原稿画像を重ね刷りする際の配色を選択するための画像処理装置であって、例えばパーソナルコンピュータ等により実現され、情報を入力するキーボードやマウス等の入力手段２２０、処理した情報やデータを表示する表示装置等の表示手段２３０、各種データ（色用紙／色インクリスト１２１〜配色情報１２７）や図示しないアプリケーションプログラム等を記憶する記憶手段１２０ａ、各種処理を実行する処理手段１３０ａなどを備えている。
【００１８】
処理手段１３０ａは、色用紙／色インク登録手段１３１、色組み合わせ手段１３２、着色画像生成手段１３３、着色画像提示手段１３４、配色選択手段１３５ａ、原稿作成手段１３６を備える。また、記憶手段１２０ａには、色用紙／色インクリスト１２１、色組み合わせ情報１２２、重ね刷り色情報１２３、サンプル画像データ１２４、多色原稿画像データ１２５、着色画像データ１２６、配色情報１２７などが格納される。
【００１９】
色用紙／色インク登録手段１３１は、重ね刷り印刷に使用可能なｍ種類の色用紙の情報とｎ種類の色インクの情報とを印刷装置２１０から自動的に取得し、色用紙／色インクリスト１２１に登録する。ここで、ｍ，ｎは任意の自然数である。なお、色用紙及び色インクの情報とは、それらの色に関する情報全般のことであり、典型的なものとしては、例えば、各種の色空間で表現される測色情報が挙げられる。また、この方法以外にも、ユーザが入力手段２２０を用いてこれらの情報を直接入力することもできる。このようにして色用紙／色インクリスト１２１に登録される色用紙の情報及び色インクの情報は、ユーザが手元に保有する色用紙及び色インクの情報に限らず、現時点においてユーザが手元に保有していない色用紙及び色インクの情報でも良い。
【００２０】
色組み合わせ発生手段１３２は、色用紙／色インクリスト１２１に登録されたこれらの情報（ｍ種類の色用紙の情報とｎ種類の色インクの情報）を読み出し、ｍ種類の色用紙の中から任意に選ばれたｋ種類の色用紙と、ｎ種類の色インクの中から任意に選ばれたｌ種類の色インクの全ての組み合わせ（以降、各々を色組み合わせ要素と称する）をリストアップする。ここで、ｋ、ｌはそれぞれ、ｋ≦ｍ，ｌ≦ｎを満たす自然数であり、ユーザが重ね刷り印刷に用いる色用紙と色インクの数を想定したものであり、入力手段２２０から入力される。なお、簡単のため、以降においては、ｋ＝１，ｌ＜ｎと限定する。次いで、色組み合わせ手段１３２は、全ての色組み合わせ要素を色組み合わせ情報１２２として記憶手段１２０ａに記憶する。この場合、色組み合わせ要素の数は、ｍＣｋ×ｎＣｌとなる。
【００２１】
着色画像生成手段１３３は、色組み合わせ情報１２２の色組み合わせ要素毎に、所定の画像データ（予め用意されたサンプル画像データ１２４あるいはユーザが作成した多色原稿画像データ１２５）を着色した着色画像データ１２６を重ね刷り色情報１２３に基づいて生成する。重ね刷り色情報１２３とは、実際の重ね刷り印刷に関連した色の情報全般のことであり、典型的なものとしては、例えば、各色組み合わせ要素を構成する色用紙と色インクを用いて実際に重ね刷り印刷した際の発色情報が挙げられる。この重ね刷り色情報１２３は、サンプル画像データ１２４を形成するオブジェクト毎に予め記憶されている。
【００２２】
着色画像提示手段１３４は、各色組み合わせ要素毎の着色画像データ１２６を表示手段２３０に表示する。
【００２３】
配色選択手段１３５ａは、表示手段２３０に表示された着色画像のうちユーザにより選択された着色画像の着色を、多色原稿画像を実際に重ね刷り印刷する際の最適な配色として採用し、配色情報１２７として記憶手段１２０ａに記憶する。このことは、色組み合わせ情報１２２の中から多色原稿画像を実際に重ね刷り印刷する際に用いる最適な色組み合わせ要素が選択されたことに対応する。
【００２４】
原稿作成手段１３６は、配色情報１２７に基づいて、実際の重ね刷り印刷に用いる多色原稿画像データ１２５を作成する。
【００２５】
図２は画像処理装置１００ａの処理動作の一例を示すフローチャートである。なお、図２に示す処理手順をコンピュータプログラムにして、コンピュータ読み取り可能な記憶媒体に格納し、コンピュータシステムにより実現される画像処理装置１００ａに読み取らせ、読み取らせたコンピュータプログラムに記述されている各処理を、画像処理装置１００ａに実行させることができる。
【００２６】
ステップＳ０１において、色用紙／色インク登録手段１３１は、重ね刷り印刷に使用可能な色用紙の情報と色インクの情報とを印刷装置２１０から自動的に取得する。また、色用紙／色インク登録手段１３１は、ステップＳ０２において、入力手段２２０から色用紙の情報及び色インクの情報に関する入力が別途あったか否かを判別し、入力があった場合、ステップＳ０３において、入力手段２２０から入力された色用紙の情報と色インクの情報を受け付け、入力が無かった場合、処理をステップＳ０４に進める。
【００２７】
ステップＳ０４において、色用紙／色インク登録手段１３１は、色用紙の情報と色インクの情報とを色用紙／色インクリスト１２１に登録する。図３は色用紙／色インクリスト１２１の一例を示しており、２種類（ｍ＝２）の色用紙の情報、すなわち色用紙Ｐ１，Ｐ２の情報と（図３（ａ））、３種類（ｎ＝３）の色インクの情報、すなわち色インクＣ１，Ｃ２，Ｃ３の情報とが格納されている（図３（ｂ））。
【００２８】
次いで、例えば、ユーザが実際に重ね刷り印刷に使用する色用紙として１種類（ｋ＝１）、色インクとして２種類（ｌ＝２）を想定した場合、ユーザは入力手段２２０から数値ｋ＝１，ｌ＝２を入力する。
【００２９】
このとき、ステップＳ０５において、色組み合わせ手段１３２は、色用紙／色インクリスト１２１に登録されている色用紙の情報及び色インクの情報を読み出し、読み出された２種類の色用紙の中から１種類の色用紙を任意に選び出す（Ｐ１又はＰ２）と同時に、読み出された３種類の色インクの中から２種類の色インクを任意に選び出し（（Ｃ１，Ｃ２），（Ｃ１，Ｃ３），又は（Ｃ２，Ｃ３））、選び出された色用紙と色インクの全ての組み合わせ（色組み合わせ要素）をリストアップし、色組み合わせ情報１２２として記憶手段１２０ａに記憶する。
【００３０】
この場合（ｋ＝１，ｌ＝２）、色組み合わせ手段１３２は、図３に示した色用紙／色インクリスト１２１を参照して、図４に示す６種類の色組み合わせ要素（色組み合わせ要素１−６）をリストアップし、色組み合わせ情報１２２として記憶手段１２０ａに記憶する。なお、色用紙／色インクリスト１２１に登録される色用紙や色インクの数が多くなるにつれて、色組み合わせ手段１３２によりリストアップされる色組み合わせ要素の数も多くなる。このような状況においては、リストアップされた色組み合わせ要素の中から所望の色組み合わせ要素を選択するのは、ユーザにとって重荷になる場合もある。その場合には、色再現性の低い色組み合わせ要素や、色インクの色差が小さい色組み合わせ要素等を予め除外しておくことで、ユーザによる選択処理の効率を高めることができる。
【００３１】
ステップＳ０６において、着色画像生成手段１３３は、サンプル画像データ１２４と多色原稿画像データ１２５のいずれを画像データとして着色するかを決定する。例えば、記憶手段１２０ａにサンプル画像データ１２４と多色原稿画像データ１２５の双方が記憶されている場合は、ユーザが入力手段２２０を用いてどちらかを選択するようにしても良い。
【００３２】
ステップＳ０６において、着色する画像データとしてサンプル画像データ１２４が選ばれた場合、ステップＳ０７において、着色画像生成手段１３３は、色組み合わせ情報１２２の色組み合わせ要素毎に、サンプル画像データ１２４を着色した着色画像データ１２６を生成する。
【００３３】
このとき、ユーザが作成しようとする多色原稿画像の配色をイメージしやすいように、複数のオブジェクト（写真、イラスト、テキスト、図形等）を用意しておく。これらのオブジェクトは、グレースケール（中間調をもつ）画像データ、若しくはグレースケール画像データを疑似階調処理したバイナリー画像データである。
【００３４】
図５はサンプル画像データ１２４の一例を示している。サンプル画像データ１２４は、背景上に配置された４つのオブジェクト、すなわち第１オブジェクト（テキスト）、第２オブジェクト（イラスト）、第３オブジェクト（図形）、第４オブジェクト（写真）から構成される。
【００３５】
図６は、図５に示した各オブジェクトに対して予め設定した配色であり、記憶手段１２０ａに記憶された重ね刷り色情報１２３を例示している。この例では、重ね刷り色情報１２３は、色組み合わせ情報１２２の色組み合わせ要素１に対するオブジェクト毎の重ね刷り色情報を表している。着色画像生成手段１３３は重ね刷り色情報１２３に基づいて各オブジェクトへの着色処理を行う。例えば、第１オブジェクト（テキスト）には第１色インク（Ｃ１）が配色されているため、印刷色（実際の印刷物に印刷された色）は「第１色インク（Ｃ１）＋色用紙（Ｐ１）」であり、第４オブジェクト（写真）には第１色インク（Ｃ１）と第２色インク（Ｃ２）が配色されているため、印刷色は「第１色インク（Ｃ１）＋第２色インク（Ｃ２）＋色用紙（Ｃ３）」である。
【００３６】
「第１色インク＋色用紙」とは、第１色インク（配色）と、色用紙（配色）とが重ね刷りされた印刷色であることを示している。一般に、色インクの発色は色用紙の影響を受けるため、実際の印刷物での発色は、色用紙と色インクの組み合わせによって異なる。そこで、色組み合わせ情報１２２の色組み合わせ要素毎に色用紙と色インクの発色を予め測色しておき、重ね刷り色情報１２３として記憶手段１２０ａに記憶しておく。Ｌ*ａ*ｂ*色空間におけるＬａｂ値は色組み合わせ要素毎に測色され、ＲＢＧ色空間におけるＲＧＢ値へ色変換される。ＲＧＢ色空間は、表示装置２３０によって行われる表示処理に使用されるものである。重ね刷り色情報１２３はＲＧＢ値及びＬ*ａ*ｂ*値を含むものである。また、第４オブジェクトのように複数の色インクを用いて重ね刷りする場合は、色インクの印刷順（第１色インク（Ｃ１）→第２色インク（Ｃ２）、もしくは第２色インク（Ｃ２）→第１色インク（Ｃ１））によっても実際の印刷物での発色が異なるため、色インクの印刷順を考慮した重ね刷り色情報１２３を用意しておくと良い。このように色インクの印刷順序に関する非可換性を考慮すると、いまの場合（ｋ＝１，ｌ＝２）には、重ね刷り色情報１２３は１２種類の発色情報から構成されることになる。本発明の一般的な側面においては、重ね刷り色情報１２３は、ｍＣｋ×ｎＰｌ種類の発色情報から構成される。
【００３７】
一方、ステップＳ０６において、着色する画像データとして多色原稿画像データ１２５が選ばれた場合、ステップＳ０８において、着色画像生成手段１３３は色組み合わせ情報１２２の色組み合わせ毎に重ね刷り色情報１２３に基づいて、多色原稿画像データ１２５を着色した着色画像データ１２６を生成する。この場合、多色原稿画像データ１２５の具体的な配色、即ち色インク及び色用紙、が原稿作成手段１３６によりすでに指定されているので、指定されている配色を重ね刷り色情報１２３における第１色インク、第２色インク、及び色用紙に置き換えて着色処理を行う。
【００３８】
次に、ステップＳ０９において、着色画像提示手段１３４は、色組み合わせ情報１２２の色組み合わせ要素毎に着色された着色画像データ１２６を表示手段２３０に表示する。図７は、図５に示したサンプル画像データ１２４に対し、図４に示した色組み合わせ情報１２２及び図６に示した重ね刷り色情報１２３に基づいて着色した例を模式的に示している。図７（ａ）は、図４に示した色組み合わせ情報１２２の「色組み合わせ要素１」に従って着色した着色画像データ１２６の例であり、背景は色用紙Ｐ１、第１オブジェクトは色インクＣ１＋色用紙Ｐ１、第２オブジェクトは色インクＣ２＋色用紙Ｐ１、第３オブジェクトは色インクＣ１＋色用紙Ｐ１、第４オブジェクトは色インクＣ１＋色インクＣ２＋色用紙Ｐ１に着色されている。図７（ｂ）は、図４に示した色組み合わせ情報１２２の「色組み合わせ要素５」に従って着色した着色画像データ１２６の例であり、背景は色用紙Ｐ２、第１オブジェクトは色インクＣ２＋色用紙Ｐ２、第２オブジェクトは色インクＣ３＋色用紙Ｐ２、第３オブジェクトは色インクＣ２＋色用紙Ｐ２、第４オブジェクトは色インクＣ２＋色インクＣ３＋色用紙Ｐ２に着色されている。
【００３９】
ユーザは、表示手段２３０に表示された着色画像の中から、作成しようとする多色原稿画像のイメージに合致する着色画像を入力手段２２０から選択する。
【００４０】
ステップＳ１０において、配色選択手段１３５ａは、入力手段２２０からユーザによる選択操作がなされるまで待機し、選択操作がなされると、ステップＳ１１において、入力手段２２０を介したユーザから選択操作を受け付ける。
【００４１】
ステップＳ１２において、配色選択手段１３５ａは、ユーザにより選択された着色画像の着色を、多色原稿画像を重ね刷りする際の最適な配色として採用し、配色情報１２７として記憶手段１２０ａに記憶する。つまり、色組み合わせ情報１２２の中から多色原稿画像を実際に重ね刷り印刷する際に用いる最適な色組み合わせ要素が選択され、選択された最適な色組み合わせ要素が配色情報１２７として記憶手段１２０ａに記憶される。
【００４２】
記憶手段１２０ａに記憶された配色情報１２７は、原稿作成手段１３６による多色原稿画像データ１２５の配色処理に用いられる。また、多色原稿画像が多色原稿画像データ１２５を基に着色される場合（ステップＳ０８）は、多色原稿画像データ１２５の各オブジェクト及び背景の配色を、配色情報１２７の配色に変更することで、多色原稿画像データ１２５の配色処理が完了する。
【００４３】
以上、第１の実施例について説明したように、重ね刷りに用いることのできる色用紙及び色インクの組み合わせ毎に着色された所定の画像データ（サンプル画像もしくは多色原稿画像）が生成されユーザに提示される。従って、ユーザは、テストプリントをしなくても、表示されたサンプル画像もしくは多色原稿画像の中から所望の着色画像を選択するだけで、ユーザが作成しようとする印刷物の出来上がりイメージに合致する発色が実現可能な配色を容易に選択することができる。しかも、色インクだけでなく色用紙についても考慮した着色画像が提示されるため、実際の印刷物により近い出来上がりイメージで配色を検討することができる。
【００４４】
［第２の実施形態］
第２の実施形態では、色組み合わせ情報１２２から、多色原稿画像に最適な配色を自動的に選択する例を説明する。
【００４５】
図８は、第２の実施形態における画像処理装置１００ｂを例示している。尚、図８に示す画像処理装置１００ｂにおいて、色用紙／色インク登録手段１３１、色組み合わせ手段１３２、色用紙／色インクリスト１２１、色組み合わせ情報１２２、重ね刷り色情報１２３、原稿画像データ１２５は、第１の実施例の画像処理装置１００ａにおける各構成要素と同等であり、説明は省略する。
【００４６】
画像処理装置１００ｂは、上記構成要素以外に、色再現範囲算出手段１３７、色分布算出手段１３８、配色選択手段１３５ｂ、記憶手段１２０ｂを備える。
【００４７】
色再現範囲算出手段１３７は、色組み合わせ情報１２２の色組み合わせ要素毎に、重ね刷り色情報１２３に基づいて色再現範囲を算出し、色再現範囲データ１２８として記憶手段１２０に記憶する。
【００４８】
色分布算出手段１３８は、原稿作成手段１３６により作成された多色原稿画像データ１２５の色空間上の色分布を算出し、色分布データ１２９として記憶手段１２０に記憶する。
【００４９】
配色選択手段１３５ｂは、色再現範囲データ１２８と色分布データ１２９とから、多色原稿画像データ１２５を実際に重ね刷りする際に最適な配色を自動的に選択する。このとき、配色選択手段１３５ｂは、全ての色組み合わせ要素（すなわち、色組み合わせ情報１２２）の中から色再現範囲に含まれる色分布の度数（後述）を最大とする色組み合わせ要素を最適な色組み合わせ要素として選択する。
【００５０】
図９は画像処理装置１００ｂの処理動作の一例を示すフローチャートである。尚、図９におけるステップＳ２１〜ステップＳ２５の処理動作は、図２に示したフローチャートのステップＳ０１〜ステップＳ０５の処理動作と同等であり、説明は省略する。また、図９に示す処理手順をコンピュータプログラムにして、コンピュータ読み取り可能な記憶媒体に格納し、コンピュータシステムにより実現される画像処理装置１００ｂに読み取らせ、読み取らせたコンピュータプログラムに記述されている各処理を、画像処理装置１００ｂに実行させることができる。
【００５１】
ステップＳ２６において、色再現範囲算出手段１３７は、色組み合わせ情報１２２の色組み合わせ要素毎に色再現範囲を算出し、色再現範囲データ１２８として記憶手段１２０に記憶する。色再現範囲を算出する際の色空間としては、ＲＧＢ色空間、ＸＹＺ色空間、Ｌ*ａ*ｂ*色空間、Ｌ*ｕ*ｖ*色空間等、要求されるシステムに応じた色空間を適宜選択できる。本実施形態においては、説明を簡単にするため、このような色空間における色再現範囲として、色組み合わせ情報１２２の色組み合わせ要素毎に規定された
【数１】
2006079597.tif 000003
【００５２】
個の頂点を有する多角形を想定している。例えば、図４に示した色組み合わせ情報１２２の色組み合わせ要素はすべて、２種類の色インクの使用を想定している（ｌ＝２）ので、この値は４となり、色再現範囲は４角形となる。また、例えば、色組み合わせ要素１においては、色用紙Ｐ１（背景：頂点１）、第１色インクのベタ（Ｃ１）＋色用紙（Ｐ１）（頂点２）、第２色インクのベタ（Ｃ２）＋色用紙（Ｐ１）（頂点３）、第１色インクのベタ（Ｃ１）＋第２色インクのベタ（Ｃ２）＋色用紙（Ｐ１）（頂点４）を、それぞれ色再現範囲の頂点として測色しておく。さらに、必要であれば、中間調の各色インクで印刷した場合についても測色しておく。図１０は、図４に示した色組み合わせ情報１２２の「色組み合わせ要素１」、「色組み合わせ要素３」と図６に示した重ね刷り色情報１２３に基づいて算出した（ａ*ｂ*色平面上の）色再現範囲の一例を示したものである。
【００５３】
次に、ステップＳ２７において、色分布算出手段１３８は、原稿作成手段１３６により作成された多色原稿画像データ１２５の色空間上の色分布を算出し、色分布データ１２９として記憶手段１２０に記憶する。具体的には、先ず多色原稿画像データ１２５をラスタライズし、ビットマップ画像データに変換する。このビットマップ画像データを、１画素毎に色空間上にプロットし、多色原稿画像に使用されている画素の分布を調べる。このとき、色空間を任意のブロックに分割しておき、ブロック毎の頻度（プロットされた画素数）を計数する。
【００５４】
図１２に示す例では、ブロックＢ１内にプロットされた画素Ｐの数は６であり、ブロックＢ２内にプロットされた画素Ｐの数は２である。そして、各ブロックＢ１，Ｂ２の点Ｏ１，Ｏ２を中心とした円Ｑ１，Ｑ２を描画する。中心Ｏ１，Ｏ２はそれぞれのブロックＢ１，Ｂ２の代表色であり、円Ｑ１，Ｑ２の半径Ｒ１，Ｒ２はブロックＢ１，Ｂ２内の画素数に応じて決定され、ここではブロックＢ１，Ｂ２内の画素数に比例して大きくなるように設定されている。すなわち、円の半径が最も大きいブロックの代表色に近い色が、多色原稿画像に使用されることになる。
【００５５】
図１１は、多色原稿画像データ１２５から算出した色空間（ａ*ｂ*色平面）上の色分布の一例である。
【００５６】
なお、多色原稿画像データ１２５の色分布算出にあたって、色分布算出手段１３８は多色原稿画像データ１２５中の写真やイラストといったイメージ画像のみを計数対象としても良い。これにより、写真やイラストを重視した配色を選択することもできる。
【００５７】
ステップＳ２８において、配色選択手段１３５ｂは、色再現範囲データ１２８と色分布データ１２９とから、多色原稿画像データ１２５を重ね刷りする際の色再現に最も近い発色が実現可能な、色用紙及び色インクの組み合わせによる配色（つまり、色組み合せ情報１２２の中の最適な色組み合わせ要素）を自動的に選択する。
【００５８】
具体的には、先ず、色分布算出手段１３８により設定された各円の中心点が各色再現範囲に含まれるか否かを判別する。図１４に示す例では、円Ｑ３の中心点Ｏ３は色再現範囲に含まれるが、円Ｑ４の中心点Ｏ４は色再現範囲に含まれないと判別される。
【００５９】
そして、色再現範囲に対する色分布の度数（例えば、色再現範囲に含まれる円の半径を積算した値、色再現範囲の面積に対する色再現範囲に含まれる色分布の面積の割合など）が最大の色用紙及び色インクの組み合わせによる配色を選択する。図１３に示す例では「色組み合わせ要素１」が、多色原稿画像データ１２５を重ね刷りする際の好適な配色として選択される。
【００６０】
配色選択手段１３５ｂは、選択した色用紙及び色インクの組み合わせによる配色を、配色情報１２７として記憶手段１２０に記憶する。
【００６１】
記憶手段１２０に記憶された配色情報１２７は、原稿作成手段１３６による原稿画像データ１２５の配色処理に用いられる。
【００６２】
以上、第２の実施例について説明したように、作成した原稿画像の色再現に最も近似した発色が実現可能な、色用紙及び色インクの組み合わせによる配色を自動的に選択することができる。
【００６３】
以上、本発明の実施形態について詳細に説明したが、本発明の思想または主要な特徴から逸脱することなく、他の色々な形態を実施することができる。
【００６４】
前述の実施形態はあらゆる点で単なる例示に過ぎず、限定的に解釈してはならない。本発明の範囲は、特許請求の範囲によって示すものであって、明細書本文には何ら拘束されない。さらに、特許請求の範囲の均等範囲に属する変形や変更は、全て本発明の範囲内のものである。
【図面の簡単な説明】
【００６５】
【図１】第１の実施例における画像処理装置の構成を例示する概略ブロック図である。
【図２】図１に示す画像処理装置の処理動作の一例を示すフローチャートである。
【図３】色用紙／色インクリストの一例を示す図である。
【図４】図３に示す色用紙／色インクリストを基にリストアップされる色組み合わせ情報の例を示す図である。
【図５】サンプル画像データの一例を示す図である。
【図６】重ね刷り色情報の一例を示す図である。
【図７】図７は、図５に示したサンプル画像データに対し、図４に示した色組み合わせ情報及び図６に示した重ね刷り色情報に基づいて着色した例を模式的に示す図である。
【図８】第２の実施例における画像処理装置の構成を例示する概略ブロック図である。
【図９】図８に示す画像処理装置の処理動作の一例を示すフローチャートである。
【図１０】図８に示す画像処理装置の色再現範囲算出手段により算出される色再現範囲（ａ*ｂ*色平面）の一例を示す図である。
【図１１】図８に示す画像処理装置の色分布算出手段により原稿画像データから算出される、色空間（ａ*ｂ*色平面）上の色分布の一例を示す図である。
【図１２】色分布算出手段による色分布算出処理を説明するための図である。
【図１３】図１０に示した色再現範囲（ａ*ｂ*色平面）に、図１１に示した色分布の円を重ね合わせた図である。
【図１４】色分布算出手段により設定された色分布の円が色再現範囲内にあるか否かを判別する処理を説明するための図である。
【符号の説明】
【００６６】
１００ａ，１００ｂ…画像処理装置
１２０ａ，１２０ｂ…記憶手段
１２１…色用紙／色インクリスト
１２２…色組み合わせ情報
１２３…重ね刷り色情報
１２４…サンプル画像データ
１２５…原稿画像データ
１２６…着色画像データ
１２７…配色情報
１２８…色再現範囲データ
１２９…色分布データ
１３０ａ，１３０ｂ…処理手段
１３１…色用紙／色インク登録手段
１３２…色組み合わせ手段
１３３…着色画像生成手段
１３４…着色画像提示手段
１３５ａ，１３５ｂ…配色選択手段
１３６…原稿作成手段
１３７…色再現範囲算出手段
１３８…色分布算出手段
２１０…印刷装置
２２０…入力手段
２３０…表示手段
【図１】
2006079597.tif 000004
【図２】
2006079597.tif 000005
【図３】
2006079597.tif 000006
【図４】
2006079597.tif 000007
【図５】
2006079597.tif 000008
【図６】
2006079597.tif 000009
【図７】
2006079597.tif 000010
【図８】
2006079597.tif 000011
【図９】
2006079597.tif 000012
【図１０】
2006079597.tif 000013
【図１１】
2006079597.tif 000014
【図１２】
2006079597.tif 000015
【図１３】
2006079597.tif 000016
【図１４】
2006079597.tif 000017